(57)【要約】【課題】将来的に放送される番組に関する情報を有するコンテンツデータを利用者に対して簡便に提供することが可能な情報処理装置、情報処理方法及びプログラムを提供すること。【解決手段】第１の番組のコンテンツデータを含む放送信号を受信するコンテンツ受信部１１２と、第１の番組の属性データを、ネットワークを介して受信する属性受信部１１４と、第１の番組の属性データに含まれる、第１の番組より後に放送される第２の番組に関する属性に基づいて、第１の番組のコンテンツデータから第２の番組に関する情報を有するコンテンツデータを抽出する抽出部１４１と、抽出されたコンテンツデータを記憶部に記録する書込み部１４２とを有する。【選択図】図２
2010041413.tif 000002
【特許請求の範囲】
【請求項１】
第１の番組のコンテンツデータを含む放送信号を受信するコンテンツ受信部と、
前記第１の番組の属性データを、ネットワークを介して受信する属性受信部と、
前記第１の番組の属性データに含まれる、前記第１の番組より後に放送される第２の番組に関する属性に基づいて、前記第１の番組のコンテンツデータから前記第２の番組に関する情報を有するコンテンツデータを抽出する抽出部と、
前記抽出されたコンテンツデータを記憶部に記録する書込み部と
を有する、情報処理装置。
【請求項２】
前記抽出されたコンテンツデータを前記記憶部から読み出す読出し部と、
前記読み出されたコンテンツデータを表示部に再生制御する表示制御部と
を有する、請求項１に記載の情報処理装置。
【請求項３】
前記第２の番組に関する情報は、前記第２の番組の宣伝又は予告に関する情報である、請求項１又は２に記載の情報処理装置。
【請求項４】
前記表示制御部は、前記第２の番組の番組名を前記表示部に表示し、
前記読み出し部は、前記表示部に表示された前記番組名が操作部を介して選択されたとき、前記抽出されたコンテンツデータを前記記憶部から読み出す、請求項１〜３のいずれかに記載の情報処理装置。
【請求項５】
前記表示制御部は、前記抽出されたコンテンツデータが前記記憶部に記録されていることを前記第２の番組の番組名と共に明示する、請求項４に記載の情報処理装置。
【請求項６】
前記第２の番組に関する属性を比較し、前記記憶部に記録された複数の前記抽出されたコンテンツデータに同一の前記抽出されたコンテンツデータが含まれるとき、１つの前記抽出されたコンテンツデータを残して他の前記抽出されたコンテンツデータを削除する削除部を備える、請求項１〜５のいずれかに記載の情報処理装置。
【請求項７】
前記記憶部に記録された複数の前記抽出されたコンテンツデータを動画解析して比較し、同一の前記抽出されたコンテンツデータが検出されたとき、１つの前記抽出されたコンテンツデータを残して他の前記抽出されたコンテンツデータを削除する削除部を備える、請求項１〜５のいずれかに記載の情報処理装置。
【請求項８】
第１の番組のコンテンツデータを含む放送信号を受信するコンテンツ受信部と、
前記第１の番組のコンテンツデータから、前記第１の番組より後に放送される第２の番組に関する情報を有するコンテンツデータを動画解析して検出する検出部と、
前記第１の番組のコンテンツデータから前記検出されたコンテンツデータを抽出する抽出部と、
前記抽出されたコンテンツデータを記憶部に記録する書込み部と
を有する、情報処理装置。
【請求項９】
コンテンツ受信部が第１の番組のコンテンツデータを含む放送信号を受信するステップと、
属性受信部が前記第１の番組の属性データを、ネットワークを介して受信するステップと、
抽出部が、前記第１の番組の属性データに含まれる、前記第１の番組より後に放送される第２の番組に関する属性に基づいて、前記第１の番組のコンテンツデータから前記第２の番組に関する情報を有するコンテンツデータを抽出するステップと、
書込み部が前記抽出されたコンテンツデータを記憶部に記録するステップと
を有する、情報処理方法。
【請求項１０】
コンテンツ受信部が第１の番組のコンテンツデータを含む放送信号を受信するステップと、
検出部が、前記第１の番組のコンテンツデータから、前記第１の番組より後に放送される第２の番組に関する情報を有するコンテンツデータを動画解析して検出するステップと、
抽出部が前記第１の番組のコンテンツデータから前記検出されたコンテンツデータを抽出するステップと、
書込み部が前記抽出されたコンテンツデータを記憶部に記録するステップと
を有する、情報処理方法。
【請求項１１】
第１の番組のコンテンツデータを含む放送信号を受信する手段、
前記第１の番組の属性データを、ネットワークを介して受信する手段、
前記第１の番組の属性データに含まれる、前記第１の番組より後に放送される第２の番組に関する属性に基づいて、前記第１の番組のコンテンツデータから前記第２の番組に関する情報を有するコンテンツデータを抽出する手段、
前記抽出されたコンテンツデータを記憶部に記録する手段
としてコンピュータを機能させるためのプログラム。
【請求項１２】
第１の番組のコンテンツデータを含む放送信号を受信する手段、
前記第１の番組のコンテンツデータから、前記第１の番組より後に放送される第２の番組に関する情報を有するコンテンツデータを動画解析して検出する手段、
前記第１の番組のコンテンツデータから前記検出されたコンテンツデータを抽出する手段、
前記抽出されたコンテンツデータを記憶部に記録する手段
としてコンピュータを機能させるためのプログラム。
【発明の詳細な説明】
【技術分野】
【０００１】
本発明は、情報処理装置、情報処理方法及びプログラムに関する。
【背景技術】
【０００２】
テレビジョン受像機や、いわゆるレコーダである録画再生装置などは、放送信号によって放送番組を受信する。また、テレビジョン受像機や、いわゆるレコーダは、インターネットなどのネットワークに接続されて、サーバ装置から配信された放送番組を受信したり、放送番組に関する情報（ＥＣＧ：Electronic  Content  Guide）を受信したりする。
【０００３】
ＥＣＧには、放送番組の内容に関する情報、識別情報、チャンネル、放送時刻だけでなく、番組のジャンル、出演者、出演した店舗、番組構成、協賛会社、更には出演者が着用した衣服に関する情報など様々な情報が含まれる。なお、特許文献１には、ＥＰＧ（Electronic  Program  Guide）情報等の番組関連情報を利用した技術が開示されている。
【０００４】
【特許文献１】特開２００６−３３９９４７号公報
【発明の開示】
【発明が解決しようとする課題】
【０００５】
ところで、将来的に放送される放送番組に対して、番組宣伝や次回予告などが放送局などによって作成され、番組宣伝や次回予告に関する放送信号が利用者に送信されている。また、番組宣伝や次回予告は、放送信号によるだけでなく、例えば管理サーバからネットワークを介して配信される場合がある。これにより、利用者は将来視聴したい番組を予め知ることができる。
【０００６】
ネットワークを介して配信される場合、番組宣伝や次回予告に関するデータは管理サーバに記録されている。しかし、番組宣伝や次回予告は、時期に合わせてデータの入れ替えが頻繁に必要であるし、番組毎に番組宣伝や次回予告があるためデータ量が非常に多い。従って、ネットワークを介した通信システムでは、放送信号でコンテンツデータ送信する場合に比べて、管理サーバの維持が高負担となり、コストがかかるという問題があった。また、ネットワークを介した通信システムでは、放送信号でコンテンツデータを送信する場合に比べて、帯域などを考慮して画質を低下せざるを得ないため、高画質なコンテンツを提供しにくいという問題があった。
【０００７】
そこで、本発明は、上記問題に鑑みてなされたものであり、本発明の目的とするところは、将来的に放送される番組に関する情報を有するコンテンツデータを利用者に対して簡便に提供することが可能な、新規かつ改良された情報処理装置、情報処理方法及びプログラムを提供することにある。
【課題を解決するための手段】
【０００８】
上記課題を解決するために、本発明のある観点によれば、第１の番組のコンテンツデータを含む放送信号を受信するコンテンツ受信部と、第１の番組の属性データを、ネットワークを介して受信する属性受信部と、第１の番組の属性データに含まれる、第１の番組より後に放送される第２の番組に関する属性に基づいて、第１の番組のコンテンツデータから第２の番組に関する情報を有するコンテンツデータを抽出する抽出部と、抽出されたコンテンツデータを記憶部に記録する書込み部とを有する情報処理装置が提供される。
【０００９】
上記抽出されたコンテンツデータを記憶部から読み出す読出し部と、読み出されたコンテンツデータを表示部に再生制御する表示制御部とを有してもよい。
上記第２の番組に関する情報は、第２の番組の宣伝又は予告に関する情報であってもよい。
【００１０】
上記表示制御部は、第２の番組の番組名を表示部に表示し、読み出し部は、表示部に表示された番組名が操作部を介して選択されたとき、抽出されたコンテンツデータを記憶部から読み出してもよい。
【００１１】
上記表示制御部は、抽出されたコンテンツデータが記憶部に記録されていることを第２の番組の番組名と共に明示してもよい。
【００１２】
上記第２の番組に関する属性を比較し、記憶部に記録された複数の抽出されたコンテンツデータに同一の抽出されたコンテンツデータが含まれるとき、１つの抽出されたコンテンツデータを残して他の抽出されたコンテンツデータを削除する削除部を備えてもよい。
【００１３】
上記記憶部に記録された複数の抽出されたコンテンツデータを動画解析して比較し、同一の抽出されたコンテンツデータが検出されたとき、１つの抽出されたコンテンツデータを残して他の抽出されたコンテンツデータを削除する削除部を備えてもよい。
【００１４】
また、上記課題を解決するために、本発明の別の観点によれば、第１の番組のコンテンツデータを含む放送信号を受信するコンテンツ受信部と、第１の番組のコンテンツデータから、第１の番組より後に放送される第２の番組に関する情報を有するコンテンツデータを動画解析して検出する検出部と、第１の番組のコンテンツデータから検出されたコンテンツデータを抽出する抽出部と、抽出されたコンテンツデータを記憶部に記録する書込み部とを有する情報処理装置が提供される。
【発明の効果】
【００１５】
本発明によれば、将来的に放送される番組に関する情報を有するコンテンツデータを利用者に対して簡便に提供することができる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
（本実施形態の構成）
まず、図１を参照して、本発明の一実施形態に係る番組情報提供システムの構成について説明する。図１は、本実施形態に係る番組情報提供システムの構成を示す説明図である。
本実施形態に係る番組情報提供システムは、インターネットなどのネットワーク１０に接続されたサーバ装置１０２と、ネットワーク１０に接続され、かつ放送信号を受信する記録再生装置１０３、セットトップボックス１０６、テレビジョン受像機１０７などの複数の端末装置からなる。番組情報提供システムによれば、各端末装置は、放送信号による放送番組の受信だけでなく、放送番組に関する情報（ＥＣＧ：Electronic  Content  Guide）を受信することができる。
【００１８】
サーバ装置１０２は、例えば、ＣＰＵと、メモリと、ストレージと、入出力Ｉ／Ｆと、通信Ｉ／Ｆと、表示部などを有し、サーバ機能を備えたコンピュータ装置などで構成される。
【００１９】
ＣＰＵ（Central  Processing  Unit）は、プログラムによって演算処理装置及び制御装置として機能し、サーバ装置１０２内に設けられた各構成要素の処理を制御することができる。メモリは、例えば、ＲＡＭ（Random  Access  Memory）、ＲＯＭ（Read  Only  Memory）、キャッシュメモリなどの記憶部で構成されており、ＣＰＵの処理に関するデータ、ＣＰＵの動作プログラムなどを一時的に記憶する機能を有する。ストレージは、例えば、ＨＤＤ（ハードディスクドライブ）、フラッシュメモリなどで構成されており、データを長期に亘って格納するための記憶部である。ストレージは、利用者情報、プログラムなどのデータを記録することができる。
【００２０】
入出力Ｉ／Ｆ（インターフェース）は、例えば、マウス、キーボード、タッチパネル、ボタン、スイッチ、レバーなどの操作部と、入力信号を生成しＣＰＵに出力する入力制御部等から構成される。例えば、サーバ装置１０２の管理者は、入出力Ｉ／Ｆの操作部を操作することによって、サーバ装置１０２内にデータを入力したり、サーバ装置１０２の処理動作を指示したりすることができる。通信Ｉ／Ｆは、例えば、通信回線、通信回路、通信デバイスなどで構成されている。通信Ｉ／Ｆは、サーバ装置１０２と各端末装置との間で、コンピュータ・ネットワークを介して、データを送受信することができる。
【００２１】
表示部は、例えば、液晶ディスプレイ（ＬＣＤ）装置、ＣＲＴディスプレイ装置、ランプなどの映像信号を表示する表示装置と、スピーカなどの音声信号を出力する音声出力装置などからなる。例えば、サーバ装置１０２の管理者は、入出力Ｉ／Ｆで行った操作の結果などを、表示部を介して確認することができる。
【００２２】
サーバ装置１０２は、端末装置がコンテンツ配信サービスの利用可能条件を満たしているかの認証や、コンテンツ配信サービスによって利用できるコンテンツ内容のナビゲーション情報などを端末装置に提供する。サーバ装置１０２は、端末装置からの要求を受信して、ネットワーク１０を介して、端末装置にデータを送信する。
【００２３】
サーバ装置１０２は、ストレージにコンテンツデータ、例えば、映画、音楽、スポーツ、ソフトウェアなどのデータを記憶しており、端末装置からの要求に応じて、端末装置にコンテンツデータを送信する。サーバ装置１０２は、例えば、映画、スポーツなどの映像コンテンツを送信する場合、コンテンツデータをＭＰＥＧ−２、ＭＰＥＧ−４、又はＱｕｉｃｋＴｉｍｅ方式等に符号化し、端末装置に送信する。なお、符号化方式は、上記の例に限定されない。
【００２４】
サーバ装置１０２は、コンテンツに関するメタデータをストレージに記憶しており、端末装置が要求するコンテンツに対応したメタデータを端末装置に送信する。ここでメタデータとは、コンテンツのタイトル、作成日時、出演者、あらすじ、ジャンル、配信可能期間などのコンテンツに関するデータである。
【００２５】
記録再生装置１０３は、例えば、ハードディスク、ブルーレイディスクなどの記録媒体に放送番組などのコンテンツを記録し、記録媒体に記録されたコンテンツを再生するいわゆるビデオレコーダである。
【００２６】
記録再生装置１０３は、コンテンツデータの送信要求を、ネットワーク１０を介してサーバ装置１０２に送信する。記録再生装置１０３は、サーバ装置１０２からコンテンツデータ、メタデータなどを受信する。記録再生装置１０３は、表示装置１０５と接続され、表示装置１０５にコンテンツやＧＵＩ（Graphical  User  Interface）、ＥＣＧ（Electronic  Content  Guide）を表示させるための制御を行う。
【００２７】
ＧＵＩは、予約可能な番組や記録された番組などについて、利用者が操作しやすいように配置した画面を提供する。ＥＣＧは、メタデータを用いて、サーバ装置１０２からダウンロード可能なコンテンツの一覧、放送信号で受信可能な放送番組の一覧、各コンテンツの詳細情報などの各種情報を提供する。
【００２８】
表示装置１０５は、例えば、コンピュータ端末のディスプレイ装置、テレビジョン受像機などであり、例えば、液晶ディスプレイ（ＬＣＤ）装置、プラズマディスプレイ装置、ＣＲＴディスプレイ装置などの映像信号を表示する表示装置と、スピーカなどの音声信号を出力する音声出力装置などからなる。
【００２９】
表示装置１０５は、記録再生装置１０３と接続され、記録再生装置１０３からデータを受信して、コンテンツに関する映像や音声を再生したり、ＧＵＩ画面、ＥＣＧ画面を表示したりする。記録再生装置１０３と表示装置１０５との間は、ＨＤＭＩ（High-Definition  Multimedia  Interface）などのインターフェースによって、映像信号、音声信号、制御信号が送受信される。
【００３０】
次に、図２を参照して、端末装置としての記録再生装置１０３について詳細に説明する。図２は、本実施形態に係る記録再生装置１０３を示すブロック図である。
記録再生装置１０３は、図２に示すように、チューナ１１２と、通信処理部１１４と、デコーダ１１６と、映像信号処理部１１８と、表示処理部１２０と、制御部１２２と、ストレージ１２４と、メモリ１２６などを有する。
【００３１】
チューナ１１２は、コンテンツ受信部の一例であり、例えば、任意の番組のコンテンツデータを含むデジタル放送（ＢＳ、ＣＳ、地上波）等の放送信号を受信し、記録再生装置１０３のデコーダ１１６に出力する。チューナ１１２は、アンテナ１０４、放送Ｉ／Ｆ（インターフェース）１３２を介してデジタル放送の放送信号を受信する。チューナ１１２が記録再生装置１０３に設けられることによって、ＩＰ放送によるコンテンツと共に、アンテナ１０４を介して受信する放送番組を視聴することができる。
【００３２】
通信処理部１１４は、ネットワークプロトコルを使用して通信制御を行う。通信処理部１１４は、通信Ｉ／Ｆ１３４を介して、コンテンツやコンテンツに関するメタデータ（ＥＣＧ情報）を受信し、記録再生装置１０３のデコーダ１１６に出力する。通信処理部１１４は、属性受信部の一例であり、ＥＣＧ情報に含まれる任意の番組の属性データを受信する。
【００３３】
デコーダ１１６は、例えば、暗号化処理されて受信された伝送データやコンテンツデータの復号処理を行う。また、デコーダ１１６は、デスクランブラとデクリプタを含むとしてもよい。また、デコーダ１１６は、デマルチプレクサ処理を行う。デコーダ１１６は、受信したデータから映像、音声、字幕、ＰＳＩ(Program  Specific  Information)／ＳＩ（Service  Information）などの信号に分離する。さらに、デコーダ１１６は、デマルチプレクサ処理を行った信号を復号処理する。デコーダ１１６には、映像データを復号する映像デコーダ、音声データを復号する音声デコーダ、字幕データを復号する字幕データ等がある。
【００３４】
映像信号処理部１１８は、デコーダ１１６から映像信号を受けて、映像信号処理をする。映像信号処理部１１８は、入力された映像信号について、走査線補完、画素数を外部の表示装置１０５の表示パネルの画素数に変換する解像度変換、輝度補正、色補正、ガンマ補正など各種所要の信号処理を実行する。上記の各処理はハードウェアで実装され、外部からの制御信号に応じてパラメータが設定される。
【００３５】
映像信号処理部１１８は、走査線補完処理を飛ばしてもよい。例えば、入カ信号がインターレース信号の場合、走査線補完を行ない、入カ信号がプログレッシブ信号の場合は走査線補完処理を行わない。映像信号処理部１１８から出力された映像信号は、表示処理部１２０に出力される。
【００３６】
表示処理部１２０は、入力された映像信号を利用して表示装置１０５を駆動する。これによって、表示装置１０５の表示画面には、映像信号に応じた画像が表示される。表示処理部１２０は、映像信号処理部１１８から受けた映像信号の再生処理をする。また、表示処理部１２０は、ＥＣＧ、ＥＰＧ（Electronic  Program  Guide）、ブラウザなどの表示データの合成処理をして、表示装置１０５で利用者が視聴可能となるデータを生成する。表示処理部１２０で生成されたデータは、映像音声出力Ｉ／Ｆ１３６を介して、表示装置１０５に出力される。表示処理部１２０は、表示制御部の一例である。
【００３７】
なお、記録再生装置１０３は、映像信号と共に音声信号も再生出力可能であるが、ここでは、音声再生系についての図示及びその説明は省略する。
【００３８】
制御部１２２は、例えばＣＰＵ（Central  Processing  Unit）、ＲＯＭ、ＲＡＭなどが組み合わされて構成されるマイクロコンピュータなどを有する。制御部１２２は、プログラムによって演算処理装置及び制御装置として機能し、記録再生装置１０３における上記各構成要素などを制御する。例えば、制御部１２２は、スクランブルがかけられて放送されてきた映像信号がデコーダ１１６に入力される場合、このスクランブルを解除するための信号処理について制御する。
【００３９】
また、制御部１２２は、入力映像信号について、標準解像度（ＳＤ：Standard  Definition）とハイビジョンなどの高画質解像度（ＨＤ：High  Definition）といった方式の違いに適合した信号処理について制御する。また、制御部１２２は、例えば映像ソース選択の操作などに応じて、放送信号によるソースを表示させるときと、ネットワーク１０からの信号によるソースを表示させるときとで、デコーダ１１６の切り換えを制御する。また、制御部１２２は、映像信号、音声信号などをストレージ１２４に出力して、ストレージ１２４にデータを保存する。
【００４０】
制御部１２２は、例えば、抽出部１４１と、書込み部１４２と、読出し部１４３と、検出部１４４と、削除部１４５などを有する。
【００４１】
抽出部１４１は、任意の番組（第１の番組）の属性データに含まれる、第１の番組より後に放送される第２の番組に関する属性に基づいて、第１の番組のコンテンツデータから第２の番組に関する情報を有するコンテンツデータを抽出する。書込み部１４２は、抽出部１４１で抽出されたコンテンツデータをストレージ１２４に記録する。読出し部１４３は、抽出部１４１で抽出されたコンテンツデータをストレージ１２４から読み出す。例えば、読出し部１４３は、表示装置１０５に表示された第２の番組の番組名が利用者などによる操作部（入出力Ｉ／Ｆ１３８）での操作を介して選択されたとき、コンテンツデータをストレージ１２４から読み出す。
【００４２】
本実施形態では、抽出部１４１が、属性に基づいて第１の番組のコンテンツデータから第２の番組に関する情報を有するコンテンツデータを抽出する場合、番組を結びつける手段として属性が用いられる。その他、属性を用いずに、検出部１４５が、動画解析をしてもよい。検出部１４５は、第１の番組のコンテンツデータから、第１の番組より後に放送される第２の番組に関する情報を有するコンテンツデータを動画解析して検出する。その後、抽出部１４１が、第１の番組のコンテンツデータから、検出されたコンテンツデータを抽出する。動画解析の方法は、一般的な技術を適用することができ、詳細な説明は省略する。
【００４３】
削除部１４５は、第２の番組に関する属性を比較し、ストレージ１２４に記録された複数の抽出されたコンテンツデータに同一の抽出されたコンテンツデータが含まれるとき、１つの抽出されたコンテンツデータを残して他の抽出されたコンテンツデータを削除する。また、属性を用いずに、削除部１４５が、動画解析をしてもよい。削除部１４５は、ストレージ１２４に記録された複数の抽出されたコンテンツデータを動画解析して比較し、同一の抽出されたコンテンツデータが検出されたとき、１つの抽出されたコンテンツデータを残して他の抽出されたコンテンツデータを削除する。
【００４４】
ストレージ１２４は、記録再生装置１０３が受信したコンテンツデータや放送番組のデータを、制御部１２２におけるダウンロード制御処理、蓄積制御処理を経て記録する。ストレージ１２４は、例えば、ハードディスク、光ディスク、フラッシュメモリなどであり、データを長期に亘って格納するための記憶部である。
【００４５】
メモリ１２６は、例えば、ＲＡＭ（Random  Access  Memory）、ＲＯＭ（Read  Only  Memory）、キャッシュメモリなどの記憶部で構成されており、制御部１２２のＣＰＵの処理に関するデータ、ＣＰＵの動作プログラムなどを一時的に記憶する機能を有する。
【００４６】
入出力Ｉ／Ｆ１３８は、例えば、マウス、キーボード、タッチパネル、ボタン、スイッチ、レバーなどの操作部と、入力信号を生成し制御部１２２に出力する入力制御部等から構成される。例えば、利用者は、入出力Ｉ／Ｆ１３８の操作部を操作することによって、端末装置内にデータを入力したり、端末装置の処理動作を指示したりすることができる。
【００４７】
（番組情報のデータ構成）
次に、本実施形態に係るＥＣＧ情報に含まれる番組情報のデータ構成について説明する。図３は、番組情報のデータ構成を示す説明図である。
【００４８】
番組情報１５０は、複数の番組に関する番組情報（１５０−１，１５０−２，・・・，１５０−Ｎ）を含む。図３に示す例では、番組情報１５０が、Ｎ個の番組についての番組情報からなり、番組情報１（１５０−１）〜番組情報Ｎ（１５０−Ｎ）が含まれる場合を示している。
【００４９】
そして、個々の番組情報（１５０−１，１５０−２，・・・，１５０−Ｎ）は、その番組の編成情報１６０を含む。編成情報１６０は、複数の編成に関する編成情報（１６０−１，１６０−２，・・・，１６０−Ｍ）を含む。図３に示す例では、番組情報１（１５０−１）に関する番組が、Ｍ個の編成からなり、番組情報１（１５０−１）が、編成情報１（１６０−１）〜編成情報Ｍ（１６０−Ｍ）を含む場合を示している。編成情報は、番組を構成する各部分がどのような内容であるかを示す情報を有する。
番組情報１５０、編成情報１６０は、サーバ装置１０２から各端末装置へ送信される。
【００５０】
次に、図４を参照して、番組情報１５０に含まれる属性について説明する。図４は、番組情報１５０に含まれる属性を示す説明図である。番組情報１５０は、放送される番組を特定できる情報を有する。
【００５１】
例えば、番組情報１（１５０−１）は、番組ＩＤと、番組グループＩＤと、チャンネルと、開始時刻と、番組長さと、番組名などを有する。番組ＩＤは、放送される番組を識別する識別番号である。番組グループＩＤは、放送される番組が、複数話からなる連続ドラマや、複数回で完結するドキュメンタリー番組など、複数の番組を１つのグループとして特定するための識別番号である。チャンネルは、番組を放送する放送局のチャンネルである。開始時刻は、番組の開始時刻を示し、番組長さは、番組の放送時間を示す。また、番組名は、番組の名称が記述される。
これにより、例えば記録再生装置１０３が番組情報を取得したとき、今後放送される番組を個々に特定することができる。
【００５２】
次に、図５を参照して、編成情報に含まれる属性について説明する。図５は、編成情報に含まれる属性を示す説明図である。編成情報は、放送される番組を構成する各部分を特定できる情報を有する。
【００５３】
ここでは、番組宣伝又は次回予告の属性を有する編成情報２（１６０−２）、編成情報４（１６０−４）について説明する。編成情報２（１６０−２）、編成情報４（１６０−４）は、例えば、チャンネルと、開始時刻と、編成長さと、属性などを有する。チャンネルは、番組を放送する放送局のチャンネルである。開始時刻は、その編成部分の開始時刻を示し、編成長さは、その編成部分の放送時間を示す。属性は、その編成部分における番組の内容を示す情報を含む。例えば、属性としては、「番組導入」、「前回までのあらすじ」、「本編」、「番組宣伝」、「次回予告」などが挙げられる。そして、属性が、番組宣伝や次回予告である場合、属性は、更に、番組宣伝又は次回予告の対象となっている番組を示す対象番組ＩＤ、対象番組グループＩＤ等を有する。
上記のような編成情報によって、例えば記録再生装置１０３が編成情報を取得したとき、今後放送される番組を構成する各部分を個々に特定することができる。
【００５４】
（番組宣伝動画の作成）
次に、本実施形態の記録再生装置１０３が、将来放送される番組（第２の番組）の番組宣伝動画を作成する方法について説明する。本実施形態では、記録再生装置１０３が、ネットワーク１０を介して番組宣伝動画を取得するのではなく、上述した番組情報及び編成情報に基づいて、番組宣伝動画を作成でき、その動画を利用者に提供することができる。
【００５５】
まず、記録再生装置１０３は、サーバ装置１０２から、ＥＣＧ情報として図３、図４に示すような番組情報１５０、編成情報１６０を取得する。番組情報１５０、編成情報１６０は、未だ放送されていない番組（第１の番組）を特定する情報であり、記録再生装置１０３は、番組が放送される前に取得する。
【００５６】
取得された番組情報１５０、編成情報１６０は、ストレージ１２４に記録される。次に、記録再生装置１０３は、編成情報１６０の中から属性が「番組宣伝」又は「次回予告」となっている編成情報を抽出しておく。
【００５７】
一方、放送番組（第１の番組）が放送されると、記録再生装置１０３は、図６の下に示すような放送データ１７０を受信する。放送データ１７０は、番組ＩＤが付されており、「番組導入」、「前回までのあらすじ」、「本編」、「番組宣伝」、「次回予告」などの様々な部分から構成される。記録再生装置１０３は、予め取得しておいた番組情報１５０から放送データ１７０がどの番組であるかを特定することができる。また、記録再生装置１０３は、編成情報１６０から放送データ１７０のどの部分がどのような内容であるかを特定することができる。図６は、編成情報と放送データの関係を示す説明図である。
【００５８】
そして、記録再生装置１０３は、図７や図８に示すように、上記で抽出された「番組宣伝」又は「次回予告」となっている編成情報１６０に基づいて、放送データから番組宣伝部分のデータ（番組宣伝データ１７０−２）又は次回予告の部分のデータ（次回予告データ１７０−Ｎ，１７０−４）をストレージ１２４に記録（録画）する。
【００５９】
記録再生装置１０３は、複数の番組に関する番組情報及び編成情報をそれぞれ予め記憶している。従って、記録再生装置１０３は、ストレージ１２４に記録した番組宣伝データ又は次回予告データを、編成情報１６０の属性「対象番組ＩＤ」、「対象番組グループＩＤ」に一致する番組情報と関連付けて、番組宣伝動画としてストレージ１２４に記録できる。
【００６０】
例えば、図７では、番組宣伝データ又は次回予告データを放送した番組（第１の番組）より後に放送される番組（第２の番組）の番組情報Ｘ（１８０−１）と、ストレージ１２４に記録されている番組宣伝動画の関係を示している。図７は、番組宣伝動画と番組情報の関係を示す説明図である。
【００６１】
番組情報Ｘは、第２の番組の番組情報であり、図４で示した番組情報１５０と同様に番組ＩＤなどの属性を有する。
【００６２】
番組宣伝データ１７０−２は、第１の番組の編成情報２（１６０−２）に基づいて取得されたデータであり、ストレージ１２４に編成情報２（１６０−２）と関連付けて記録されている。番組宣伝データ１７０−２は、第１の番組より後に放送される番組（第２の番組）の番組宣伝の部分のデータである。また、次回予告データ１７０−Ｎは、第１の番組の編成情報Ｎ（１６０−Ｎ）に基づいて取得されたデータであり、ストレージ１２４に編成情報Ｎ（１６０−Ｎ）と関連付けて記録されている。次回予告データ１７０−Ｎは、第１の番組より後に放送される番組（第２の番組）の次回予告の部分のデータである。
【００６３】
そして、ストレージ１２４に記録された番組宣伝データ１７０−２や次回予告データ１７０−Ｎなどが番組宣伝動画となる。そして、番組宣伝データ１７０−２や次回予告データ１７０−Ｎなどからなる番組宣伝動画は、番組ＩＤに基づいて第２の番組の番組情報Ｘと関連付けて記録されている。従って、例えば、記録再生装置１０３において、番組情報Ｘに該当する番組が選択されたとき、記録再生装置１０３は、作成した番組宣伝動画（番組宣伝データ１７０−２や次回予告データ１７０−Ｎなど）を番組ＩＤに基づいて読み出すことができる。
【００６４】
例えば、１つの番組（第２の番組）について、第２の番組より前に第２の番組について番組宣伝している番組や、第２の番組より前に第２の番組の内容を予告する次回予告をしている番組が複数あるとき、複数の番組宣伝データや次回予告データがストレージ１２４に記録される。もし、重複しているデータが存在している場合は、記録再生装置１０３は、属性の参照、又は動画解析などして、１つのデータを残して他のデータを削除するとしてもよい。これにより、記録再生装置１０３は簡潔な番組宣伝動画を作成することができる。
【００６５】
また、例えば、図８では、次回予告データを放送した番組（第１の番組）より後に放送される番組（第２の番組）の番組情報Ｙ（１８０−２）、番組情報Ｚ（１８０−３）と、ストレージ１２４に記録されている番組宣伝動画の関係を示している。図８は、番組宣伝動画と番組情報の関係を示す説明図である。
【００６６】
番組情報Ｙ、番組情報Ｚは、第２の番組の番組情報であり、図４で示した番組情報１５０と同様に番組ＩＤや番組グループＩＤなどの属性を有する。
【００６７】
次回予告データ１７０−４は、第１の番組の編成情報４（１６０−４）に基づいて取得されたデータであり、ストレージ１２４に編成情報４（１６０−４）と関連付けて記録されている。次回予告データ１７０−４は、第１の番組より後に放送される番組（第２の番組）の次回予告の部分のデータである。
【００６８】
そして、ストレージ１２４に記録された次回予告データ１７０−４などが番組宣伝動画となる。そして、次回予告データ１７０−４などからなる番組宣伝動画は、第２の番組の番組情報Ｙ、番組情報Ｚと、番組グループＩＤに基づいて関連付けて記録されている。従って、例えば、記録再生装置１０３において、番組情報Ｙ又は番組情報Ｚに該当する番組が選択されたとき、記録再生装置１０３は、作成した番組宣伝動画（次回予告データ１７０−４など）を番組グループＩＤに基づいて読み出すことができる。
【００６９】
番組情報Ｙ及び番組情報Ｚは、番組グループＩＤが共通する関係にあり、例えば、複数話からなる番組を構成する個々の番組の番組情報である。図８に示す例は、複数話からなる番組のうち複数の個々の番組（第２の番組）について、第２の番組より前に第２の番組の内容を予告する次回予告をしている番組があるとき、１つの次回予告データがストレージ１２４に記録されている例である。番組グループＩＤを指定することで、放送局は共通する複数の番組を１つにまとめて扱うことができる。また、予定していなかった番組が追加された場合でも、番組グループＩＤを参照することで、番組宣伝データ又は次回予告データと、第２の番組とを関連付けることができる。
【００７０】
なお、上記では、第２の番組についての番組宣伝データ又は次回予告データを放送した番組（第１の番組）は、１つの番組であるかのように説明したが、複数の番組が第１の番組に該当する場合もある。
【００７１】
（番組宣伝動画の提供）
次に、図９を参照して、記録再生装置１０３が作成した番組宣伝動画を提供する方法について説明する。図９は、記録再生装置１０３によって表示装置１０５に表示される番組表を示す説明図である。
【００７２】
番組表１９０は、記録再生装置１０３が予め取得したＥＰＧ情報、ＥＣＧ情報に基づいて表示される。番組表１９０は、例えば、放送局のチャンネル２０２、番組領域２０４、時間帯２０６、選択枠２０８、動画存在マーク２１０などからなる。チャンネル２０２は、放送局のチャンネルを示す。時間帯２０６は、各番組の放送時間を示す。
【００７３】
番組領域２０４には、番組名２０７や番組の簡単な説明が表示される。また、番組と関連付けられた番組宣伝動画が既に作成されている場合は、動画存在マーク２１０を番組領域２０４内に示してもよい。これにより、どの番組に、番組宣伝動画が存在するかを利用者に対して明示することができる。選択枠２０８は、利用者のリモートコントローラなどの方向ボタンによる操作によって移動される。選択枠２０８が移動した先の番組で、決定ボタンによる操作によって選択が決定されると、番組宣伝動画がある場合は、図１１に示すような番組説明画面１９４で動画を再生する。その結果、利用者に対して、番組宣伝動画を提供できる。
【００７４】
動画存在マーク２１０を番組領域２０４内に示すためには、予めストレージ１２４に保存されている番組宣伝動画を検索して、番組情報と関連付けしておく必要がある。なお、動画存在マーク２１０を番組表１９０に表示せず、ある番組が選択されて、番組説明画面１９４を表示する段階で、ストレージ１２４に保存されている番組宣伝動画を検索するとしてもよい。
【００７５】
次に、図１０を参照して、記録再生装置１０３が作成した番組宣伝動画を提供する方法について説明する。図１０は、記録再生装置１０３によって表示装置１０５に表示される番組検索結果画面を示す説明図である。
【００７６】
番組検索結果画面１９２は、利用者によってある条件が指定されたとき、その条件に基づいて、予約可能な番組が検索された後、検索された番組が一覧表示された画面である。番組検索結果画面１９２は、記録再生装置１０３が予め取得したＥＰＧ情報、ＥＣＧ情報に基づいて表示される。
【００７７】
番組検索結果画面１９２は、例えば、動画存在マーク２１０、検索結果件数２１２、検索結果番組２１４、その番組の開始時刻２１６、番組名２１８、選択枠２２０などからなる。
【００７８】
番組検索結果画面１９２も、番組表１９０と同様に利用者の選択に応じて、番組宣伝動画がある場合は、図１１に示すような番組説明画面１９４で動画を再生する。その結果、利用者に対して、番組宣伝動画を提供できる。動画存在マーク２１０を番組領域２０４内に示すためには、予めストレージ１２４に保存されている番組宣伝動画を検索して、番組情報と関連付けしておく必要がある。なお、動画存在マーク２１０を番組検索結果画面１９２に表示せず、ある番組が選択されて、番組説明画面１９４を表示する段階で、ストレージ１２４に保存されている番組宣伝動画を検索するとしてもよい。
【００７９】
次に、図１１を参照して、記録再生装置１０３によって表示される番組説明画面について説明する。図１１は、記録再生装置１０３によって表示装置１０５に表示される番組説明画面を示す説明図である。
【００８０】
図１１に示す番組説明画面１９４は、上述した番組表１０や番組検索結果画面１９２において、番組が選択され、番組宣伝動画が存在するときに表示される画面である。番組説明画面１９４は、例えば、番組開始時間２３２、番組名２３４、縮小画面２３６、番組詳細２３８、各種操作ボタン２４２、２４４などからなる。
【００８１】
番組宣伝動画は、縮小画面２３６に表示される。なお、利用者による選択動作によって、番組宣伝動画を全画面表示することも可能である。本実施形態では、放送信号に基づいた放送データから番組宣伝動画が作成されるため、番組宣伝動画は、通常の放送番組と同等の画質データを有する。従って、高画質の番組宣伝動画を利用者に提供することができる。
【００８２】
なお、上記では、記録再生装置１０３が番組情報、編成情報を取得して、放送データに基づいて番組宣伝動画を作成する場合ついて説明したが、他の端末装置でも同様である。本実施形態の他の端末装置であるセットトップボックス１０６と表示装置１０５の組み合わせ、又はテレビジョン受像機１０７単体の場合についても同様に、番組情報、編成情報の取得、番組宣伝動画の作成をすることができる。
【００８３】
また、番組宣伝データ、又は次回予告データと、対象となる第２の番組の番組情報を結びつける手段として、番組ＩＤ又は番組グループＩＤを用いるとしているが、対象となる第２の番組を特定できる情報であれば、これに限定されない。例えば、属性「チャンネル＋開始時間＋番組長さ」で番組を特定してもよい。
【００８４】
また、番組情報を提供する方法として、番組表１９０、番組検索結果１９２以外に、録画予約された番組が一覧表示された「番組予約一覧」、特定の番組が抽出されて表示された「関連番組表」などがある。
【００８５】
以上、本実施形態によれば、サーバ装置１０２から配信されたＥＣＧ情報に含まれる、番組の編成情報を用いて、通常の放送データから番組宣伝部分や、次回予告の部分を抽出し、抽出したデータを番組宣伝動画として録画する。そして、番組宣伝動画を利用者に対して提供できる。
【００８６】
従来、番組情報の提供はＥＰＧ情報によって取得された文字情報のみが扱われていた。一方、本実施形態によれば、番組情報として動画による情報を提供することができるため、利用者に対してより明確な情報提供をすることができる。
【００８７】
放送局が番組宣伝動画を別途用意して、通常の放送データとは別に例えばサーバ装置から動画データを配信することも考えうる。しかし、番組宣伝や次回予告は、時期に合わせてデータの入れ替えが頻繁に必要であるし、番組毎に番組宣伝や次回予告があるためデータ量が非常に多い。従って、ネットワークを介した通信システムでは、放送信号でコンテンツデータ送信する場合に比べて、管理サーバの維持が高負担となり、コストがかかる。一方、本実施形態によれば、通常の放送データを使用して番組宣伝動画を作成するため、サーバなどにかかる負荷やコストを低減させることができる。
【００８８】
また、サーバ装置から動画データを配信する場合、帯域などを考慮して画質を低下せざるを得ない。一方、本実施形態によれば、通常の放送データを使用して番組宣伝動画を作成するため、標準解像度（ＳＤ：Standard  Definition）へ画質を低下させることなく、ハイビジョンなどの高画質解像度（ＨＤ：High  Definition）を維持したまま動画を提供できる。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００９０】
【図１】本発明の一実施形態に係る番組情報提供システムの構成を示す説明図である。
【図２】同実施形態に係る記録再生装置を示すブロック図である。
【図３】番組情報のデータ構成を示す説明図である。
【図４】番組情報に含まれる属性を示す説明図である。
【図５】編成情報に含まれる属性を示す説明図である。
【図６】編成情報と放送データの関係を示す説明図である。
【図７】番組宣伝動画と番組情報の関係を示す説明図である。
【図８】番組宣伝動画と番組情報の関係を示す説明図である。
【図９】記録再生装置によって表示装置に表示される番組表を示す説明図である。
【図１０】記録再生装置によって表示装置に表示される番組検索結果画面を示す説明図である。
【図１１】記録再生装置によって表示装置に表示される番組説明画面を示す説明図である。
【符号の説明】
【００９１】
１０        ネットワーク
１０２      サーバ装置
１０３      記録再生装置
１０４      アンテナ
１０５      表示装置
１０６      セットトップボックス
１０７      テレビジョン受像機
１１２      チューナ
１１４      通信処理部
１１６      デコーダ
１１８      映像信号処理部
１２０      表示処理部
１２２      制御部
１２４      ストレージ
１２６      メモリ
１４１      抽出部
１４２      書込み部
１４３      読出し部
１５０      番組情報
１６０      編成情報
【図１】
2010041413.tif 000003
【図２】
2010041413.tif 000004
【図３】
2010041413.tif 000005
【図４】
2010041413.tif 000006
【図５】
2010041413.tif 000007
【図６】
2010041413.tif 000008
【図７】
2010041413.tif 000009
【図８】
2010041413.tif 000010
【図９】
2010041413.tif 000011
【図１０】
2010041413.tif 000012
【図１１】
2010041413.tif 000013